(57)【要約】【課題】従来、乾電池を商品包装を解いて裸のまま放置したり電気製品の電池ボックスに入れてスイッチを切り長期間使わなかった場合、いづれも少しずつ漏電し、次に使おうとした時に電池切れになっている事が多かった。その場合、新しい乾電池と交換しなければならず費用のムダと資源の浪費になっていた。又、電極部の腐食の問題もあった。【解決手段】筒形の立体の成型品又は、筒形立体の側面の一部を切り取った形の成型品を絶縁体によって作り、当該成型品を乾電池に装着する事で乾電池の両電極が絶縁体により覆われ外部からの接触が遮断されるようにした。さらに当該成型品の外径寸法を電気製品の電池ボックスに収まるサイズにし、乾電池を当該成型品ごと電気製品の電池ボックスに収納できるようにした。【選択図】図１
0003127786.tif 000002
【実用新案登録請求の範囲】
【請求項１】
電気の絶縁体のみによって成る成型品か或いは絶縁体と他の成型品等を組み合わせた組立品であって、乾電池を収納するか若しくは乾電池に装着するための形状を有し、且つ当該収納又は装着された状態における乾電池の電極部が当該絶縁体に遮られて空気以外の他の物に接触しない構造を有して成る乾電池用漏電プロテクタ。
【請求項２】
外径寸法を電気製品の電池ボックスに収まる大きさに制限した請求項１の乾電池用漏電プロテクタ。
【考案の詳細な説明】
【技術分野】
【０００１】本考案は乾電池を購入して商品包装を解き、乾電池が裸の状態になった後の電池残量の保存、若しくは漏電を防止する乾電池用漏電プロテクタに関するものである。
【背景技術】
【０００２】蓄電池や電源設備の漏電を防止する容器又は構造の考案は従来より存在したが、市販の乾電池、いわゆる単１・単２・単３・単４・単５などの携帯サイズの乾電池に対して商品包装を解いた後または使用開始後の漏電対策を施した商品がなかった。
【考案の開示】
【考案が解決しようとする課題】
【０００３】従来、乾電池を商品包装を解いて裸のまま放置したり電気製品の電池ボックスに入れてスイッチを切り長期間使わなかった場合、いづれも少しずつ漏電し、次に使おうとした時に電池切れになっている事が多かった。その場合、新しい乾電池と交換しなければならず費用のムダと資源の浪費になっていた。【０００４】又、長期間の放置による電極部の腐食や電解液の液漏れの問題もあった。腐食や液漏れが起きた場合、電池ボックスが損傷して電気製品が使用不能になる事もあるため、不使用での長期間の放置は推奨できなかった。【０００５】そうかといって電気製品から取り出し乾電池を裸のまま放置すれば陰極・陽極の金属端子が導電性の物質に触れ易く容易に漏電するため電池残量の減少速度は頗る速い。しかも、電気製品を再使用する時すぐ装着できるよう乾電池を近くに確保しておかねばならない手間もあった。例えば携帯用録音機器の場合、不使用時に乾電池を取り出し鞄等に入れて録音機器と一緒に携行するには有効な漏電対策がなければ電池残量の自然消耗を免れない。【０００６】そこで、乾電池を電気製品に装着した場合と裸で保管する場合の双方において漏電対策が求められていた。
【課題を解決するための手段】
【０００７】筒形又は筒の側面の一部を切り取った残りの形を電気の絶縁体によって成型し、当該成型品に乾電池を収納する事で乾電池の両電極が絶縁体に遮られ、外部からの接触が遮断されるようにした。さらに当該成型品の外径寸法を電気製品の電池ボックスに収まるサイズにし、乾電池を当該成型品ごと電池ボックスに収納できるようにした。【０００８】なお、本考案の成型品の形状は一様でなく、乾電池の両電極を絶縁体の部位により覆い外部からの接触を遮断するあらゆる形而上のタイプを含む。例えば電極にすっぽり被せる陽極用若しくは陰極用のキャップや当該２つのキャップを連結したもの、又絶縁体により成る箱ないし容器に乾電池を収納する空間と蓋を設けたものも含む。【０００９】本考案を乾電池と共に電気製品に適用した場合、そのままでは電気製品を使う事はできないが使用時は電池ボックスから取り出して乾電池だけを再装着すれば済み、手間もかからない。
【考案の効果】
【００１０】使用を中断した時の乾電池の電池残量は、本考案が適用され乾電池と共に電池ボックスに装着放置された場合、及び電池ボックスに装着せずに放置又は携行された場合において、共に減衰する事なく次の使用時まで維持されるようになった。又、電池ボックスに装着放置した場合の電極の腐食・液漏れがなくなり、且つ再使用時に備えて乾電池を近くに確保しておく手間もなくなった。さらに、漏電により再使用不能となった乾電池の廃棄が激減し資源の節約に大きく貢献できた。
【実施例】
【００１１】図１は本考案の請求項２における第一番目の実施例の態様を示す斜視図。本考案の漏電プロテクタが乾電池に装着された態様を示すと共に、それらを収める先である電気製品（ラジオ）及びその電池ボックスの態様を示す。図２は図１の漏電プロテクタが乾電池に装着されたまま電池ボックスに収められた態様を示す。電池ボックスの電極端子が絶縁体の漏電プロテクタに遮られて乾電池の電極に接触しないため乾電池から漏電が起こらない。図３は図１及び図２の漏電プロテクタが乾電池に装着されてない場合の斜視図で、それに乾電池への装着態様を加味したのが図４。又、図５は図３の側面図であり、それに乾電池への装着態様を加味したのが図６である。図３の（＋）電極用凹部は乾電池（＋）電極の凸部を嵌め込むためにキャップ上に設けられた小さな窪みである。一方、（−）電極用凹部は図５に示すように乾電池の（−）電極全体を嵌め込む形状である。なお、２つのキャップを連結バーで結んで一体化すると共に、キャップ間の内径を乾電池の長さ（電極間の外径であって（＋）電極の凸部を除く）と同じにし、且つ漏電プロテクタ全体の大きさを電池ボックスに収まるサイズにした。連結バーには弾性を持たせ、手で力を加えて撓らせる事で漏電プロテクタを乾電池に装着し易くした。装着後は図６が示すように漏電プロテクタのキャップ部が乾電池の電極部をしっかり保持するので乾電池は脱落しない。又、その状態で図２のように電池ボックスに収納する事が出来る。【００１２】図７は本考案の請求項２における第二番目の実施例の態様を示す斜視図で、図８は当該実施例を乾電池に装着した態様を示す斜視図。図８のように乾電池の電極部にスッポリ被せて脱落しないようキャップ内の凹部分を第一番目の実施例より深めにした。又、キャップ全体（漏電プロテクタ）の大きさを電池ボックスに収まるサイズにした。【００１３】図９は本考案の請求項２における第三番目の実施例の態様を示す斜視図で、図１０は当該実施例に乾電池を収納した態様を示す斜視図。図９のように筒型をした電池ケースの中に乾電池をスッポリ収める空間を設け、蓋（フタ）を被せて乾電池と外部との接触を絶った。なお、当該実施例（漏電プロテクタ）の大きさを電池ボックスに収まるサイズにした。【００１４】図１１は本考案の請求項２における第四番目の実施例の態様を示す斜視図。図９及び図１０の実施例の電池ケースを改良してツイン電池ケースにし、一度に２本の乾電池の収納を可能にした。なお、当該実施例（漏電プロテクタ）の大きさを電池ボックスに収まるサイズにした。【００１５】図１２は本考案の請求項２における第五番目の実施例の態様を示す側面図。請求項２における第一番目の実施例を改良してツイン漏電プロテクタとし、一度に２本の乾電池への装着を可能とした。なお、ツイン漏電プロテクタを乾電池に装着した状態で電池ボックスに収まるサイズにした事は他の実施例と同様である。【００１６】以上、図１乃至図１２が示す実施例は本考案の請求項２を示すものであるが、それら全てにおいて、材質特に乾電池の電極に接する部位の材質に電気の絶縁体を用いた事、及び形状または外径寸法を電池ボックスに収まる大きさに制限した事の２点を共通の技術とする。なお説明は省略するが以上の全ての実施例から外径寸法の制限を取り除いたものは本考案の請求項１の実施例である。【００１７】図１３及び図１４は本考案の請求項１におけるその他の実施例の態様を示す斜視図である。図１３は電池ケースに複数（８本）の乾電池を縦置きで収納できるスペースを設けたもので、図１４は複数（５本）の乾電池を横に寝かせて収納できるスペースを設けたもの。いずれの場合も蓋を設けて閉じる事により外部と乾電池との接触を絶った。実施例の材質特に乾電池の電極に接する部位の材質に絶縁体を用いた事は他の実施例と同じである。
【図面の簡単な説明】
【００１８】
【図１】本考案の請求項２における第一番目の実施例の態様を示す斜視図で電池ボックスに収納される前の状態を示す。
【図２】前記図１の本考案の漏電プロテクタが乾電池に装着されたまま電池ボックスに収められた後の態様を示す斜視図。
【図３】乾電池に装着されてない状態を示した請求項２の第一番目の実施例の斜視図。
【図４】前記図３の実施例を乾電池に装着した時の態様を示す斜視図。
【図５】図３の実施例の側面図。
【図６】前記図５の側面図に、乾電池への装着の態様を付け加えたもの。
【図７】本考案の請求項２における第二番目の実施例の態様を示す斜視図。
【図８】前記図７の実施例を乾電池に装着した態様を示す斜視図。
【図９】本考案の請求項２における第三番目の実施例の態様を示す斜視図。
【図１０】前記図９の実施例に乾電池を収納し蓋（フタ）を閉じた態様を示す斜視図。
【図１１】本考案の請求項２における第四番目の実施例の斜視図。
【図１２】本考案の請求項２における第五番目の実施例の側面図。
【図１３】本考案の請求項１における実施例の一態様を示す斜視図。
【図１４】本考案の請求項１における実施例の別の態様を示す斜視図。
【図１】
0003127786.tif 000003
【図２】
0003127786.tif 000004
【図３】
0003127786.tif 000005
【図４】
0003127786.tif 000006
【図５】
0003127786.tif 000007
【図６】
0003127786.tif 000008
【図７】
0003127786.tif 000009
【図８】
0003127786.tif 000010
【図９】
0003127786.tif 000011
【図１０】
0003127786.tif 000012
【図１１】
0003127786.tif 000013
【図１２】
0003127786.tif 000014
【図１３】
0003127786.tif 000015
【図１４】
0003127786.tif 000016